Podtech/llm-jp-corpus-v4-ja_patent huggingface dataset:
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
連続する複数の画像のうちのある画像中の対象ブロックの予測動きベクトルを復号する復号方法であって、
上記ある画像内の上記対象ブロックに隣接する第１の隣接ブロックを識別する第１の識別工程と、
上記ある画像内の上記対象ブロックに隣接する第２の隣接ブロックを識別する第２の識別工程と、
上記第１の隣接ブロックの動きベクトルと上記第２の隣接ブロックの動きベクトルとが等しくない場合に、上記第１の隣接ブロックおよび上記第２の隣接ブロックの両方の上記動きベクトルを含んでいる予測動きベクトル候補セットを生成する第１の生成工程と、
上記第１の隣接ブロックの動きベクトルと上記第２の隣接ブロックの動きベクトルとが等しい場合に、上記第１の隣接ブロック又は上記第２の隣接ブロックのただ１つの動きベクトルを含んでいる予測動きベクトル候補セットを生成する第２の生成工程と、
時間方向に位置する動きベクトルを予測動きベクトルとして使用できるかどうかを示すフラグをビットストリームから得る工程と、
時間方向に位置する動きベクトルを予測動きベクトルとして使用できることを上記フラグが示す場合に、別の画像中のあるブロックの動きベクトルを上記予測動きベクトル候補セットに含める工程と、
時間方向に位置する動きベクトルを予測動きベクトルとして使用できないことを上記フラグが示す場合に、上記予測動きベクトル候補セットに含まれる、別の画像中のあるブロックの動きベクトルを除外する除外工程と、
上記対象ブロックの上記予測動きベクトルとして、上記予測動きベクトル候補セットから動きベクトルを選択する選択工程と、を含んでいる復号方法。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
カメラ（３１４）が晒される光条件の変化を補正するために、当該カメラ（３１４）によって自動修正されるカメラ設定を、受信及び監視する（Ｓ０２）ことであって、前記カメラ設定は、前記カメラ（３１４）によって取得される画像（１００、２００、４００、５００）の品質に影響を与え、画像（１００、２００、４００、５００）を取得する時に前記カメラによって使用される利得及び露出時間のうちの少なくとも一つを含む、受信及び監視する（Ｓ０２）ことと、
前記カメラ設定の変化を検出した（Ｓ０４）場合において、光条件の変化によりピクセル密度の要件を変更する必要性があることを決定する（Ｓ０６）ことと
を含み、前記ピクセル密度の要件は、前記カメラ（３１４）によって取得される画像（１００、２００、４００、５００）の、物体（１０２）の識別を可能にするために必要とされる、当該物体の単位長さ当たり又は単位面積当たりの最小ピクセル数を特定する、方法。
【請求項２】
前記カメラ設定は、画像（１００、２００、４００、５００）を取得する時に、前記カメラ（３１４）によって使用される利得を含む、請求項１に記載の方法。
【請求項３】
前記カメラ設定は、前記カメラ（３１４）によって取得された画像（１００、２００、４００、５００）におけるノイズレベル、及び被写体ぶれレベルのうちの少なくとも一つに影響を与える、請求項１又は２に記載の方法。
【請求項４】
前記カメラ設定の変化は、当該カメラ設定の変化を、一又は複数の閾値と比較することによって検出される、請求項１から３のいずれか一項に記載の方法。
【請求項５】
前記方法がさらに、前記ピクセル密度の要件を変更する必要性があるとの決定に応じて、ズームレベルの調整によって、前記カメラ（３１４）の視野を調節するための制御信号を生成する（Ｓ０８）ことを含む、請求項１から４のいずれか一項に記載の方法。
【請求項６】
前記ズームレベルは、前記カメラ（３１４）が、変更された前記ピクセル密度の要件に従って、当該カメラ（３１４）から所与の距離に位置づけられた物体（１０２）を取得するように調整され、これにより、当該所与の距離にある物体（１０２）の識別が可能になる、請求項５に記載の方法。
【請求項７】
前記ズームレベルは、前記カメラ設定の異なる値を、異なるズームレベルに関連付けする機能に従って調整される、請求項５又は６に記載の方法。
【請求項８】
前記ピクセル密度の要件を変更する必要性があるとの決定に応じて、当該ピクセル密度の要件が変更されたことを示すアラームを生成することを含むイベントを生成する（Ｓ１０）ことを更に含む、請求項１から４のいずれか一項に記載の方法。
【請求項９】
前記ピクセル密度の要件を変更する必要性があるとの決定に応じて、光源を始動する又は停止することによって、前記カメラ（３１４）が晒される前記光条件に影響を与えることを含む、イベントを生成する（Ｓ１０）ことをさらに含む、請求項１から４及び８のいずれか一項に記載の方法。
【請求項１０】
前記ピクセル密度の要件を変更する必要性があるとの決定に応じて、変更された前記ピクセル密度の要件に従って、前記カメラ（３１４）が、現在の視野で物体（１０２）を取得する、当該カメラ（３１４）からの最大距離に関する表示を提供することにより、当該最大距離内で、前記物体（１０２）の識別が可能になったことを示すことを含む、イベントを生成する（Ｓ１０）ことを更に含む、請求項１から４、８及び９のいずれか一項に記載の方法。
【請求項１１】
処理能力を有する装置で実行された時に、請求項１から１０のいずれか一項に記載の方法を実施する、コンピュータコード命令を含む、コンピュータ可読記憶媒体（３１２）。
【請求項１２】
カメラ（３１４）が晒される光条件の変化を補正するために、当該カメラ（３１４）によって自動修正されるカメラ設定を受信するように構成された受信素子（３０２）であって、当該カメラ設定は、前記カメラ（３１４）によって取得される画像（１００、２００、４００、５００）の品質に影響を与え、当該画像を取得する時に前記カメラ（３１４）によって使用される利得及び露出時間のうちの少なくとも一つを含む、受信素子（３０２）と、
前記カメラ設定を監視するように構成された監視素子（３０４）と、
当該カメラ設定の変化を検出した場合において、ピクセル密度の要件を変更する必要性があることを決定するように構成された、決定素子（３０６）と
を備え、前記ピクセル密度の要件は、前記カメラ（３１４）によって取得される画像（１００、２００、４００、５００）の、物体（１０２）の識別を可能にするために必要とされる、当該物体の単位長さ当たり又は単位面積当たりの最小ピクセル数を特定する、装置（３００）。
【請求項１３】
物体（１０２）が識別されるべき画像（１００、２００、４００、５００）を取得するように構成されたカメラ（３１４）と、
当該カメラ（３１４）から、カメラ設定を受信し、前記カメラ設定の変化を検出した場合において、光条件の変化によりピクセル密度の要件を変更する必要性があることを決定するように適合された請求項１２に記載の装置（３００）と、
を備え、前記ピクセル密度の要件は、前記カメラ（３１４）によって取得される画像（１００、２００、４００、５００）の、物体（１０２）の識別を可能にするために必要とされる、当該物体の単位長さ当たり又は単位面積当たりの最小ピクセル数を特定する、システム。
【手続補正書】
【提出日】平成28年3月31日(2016.3.31)
【手続補正１】
【補正対象書類名】明細書
【補正対象項目名】００７９
【補正方法】変更
【補正の内容】
【００７９】
アルカリ可溶性樹脂としては、光硬化性と熱硬化性の両方の特性を持つアルカリ可溶性樹脂が挙げられ、例えば、ノボラック型エポキシ樹脂にアクリル酸を付加させてエポキシアクリレート化した樹脂の２級の水酸基に酸無水物を付加させた樹脂が挙げられる。多官能アクリルモノマーとしては、例えば、トリメチロールプロパントリアクリレート（Ｔｒｉｍｅｔｈｙｌｏｌ  Ｐｒｏｐａｎｅ  Ｔｒｉａｃｒｙｌａｔｅ）、ジペンタエリスリトールヘキサアクリレート（Ｄｉ−ｐｅｎｔａｅｒｙｔｈｒｉｔｏｌ  Ｈｅｘａａｃｒｙｌａｔｅ）、ペンタエリスリトールトリアクリレート（Ｐｅｎｔａｅｒｙｔｈｒｉｔｏｌ  Ｔｒｉａｃｒｙｌａｔｅ）等が挙げられる。光重合開始剤としては、２−メチル−１−（４−メチルチオフェニル）−２−モルフォリノプロパン−１−オン（２−Ｍｅｔｈｙｌ−１−（４−Ｍｅｔｈｙｌｔｈｉｏｐｈｅｎｙｌ）−２−Ｍｏｒｐｈｏｌｉｎｏｐｒｏｐａｎ−１−ｏｎｅ）等が挙げられる。エポキシ樹脂は、硬化剤として用いられる。アルカリ可溶性樹脂のカルボン酸と反応させることで架橋させ、耐熱性や耐薬品性の特性の向上を図っているが、カルボン酸とエポキシは常温でも反応が進むために、保存安定性が悪く、アルカリ現像型ソルダーレジストは一般的に使用前に混合する２液性の形態をとっている場合が多い。無機フィラーとしては、例えば、タルク、シリカ、硫酸バリウム、酸化チタン、酸化亜鉛等が挙げられる。
【手続補正２】
【補正対象書類名】明細書
【補正対象項目名】０２２３
【補正方法】変更
【補正の内容】
【０２２３】
次に、第一面に配置された複数の電子部品接続用接続パッド３の端部から２００μｍ離れた外周と該端部から４００μｍ離れた外周との間の領域にある厚さ２０μｍの第一ソルダーレジスト層２−１の表面粗さを測定したところ、表面粗さＲａは０．０５μｍであった。また、隣接する電子部品接続用接続パッド３間の第一ソルダーレジスト層２−１の表面粗さを測定したところ、表面粗さＲａは０．１０μｍであった。
【手続補正３】
【補正対象書類名】明細書
【補正対象項目名】０２４３
【補正方法】変更
【補正の内容】
【０２４３】
（実施例２５）
工程（Ｃ３）及び（Ｃ７）において、密着露光方式にて露光を行った以外は、実施例２２と同じ方法で、工程（Ａ１）〜工程（Ｄ１）までを実施した。光学顕微鏡で観察した結果、第一面及び第二面ともに電子部品接続用接続パッド３及び外部接続用接続パッド４上に第一ソルダーレジスト層２−１及び第二ソルダーレジスト層２−２の残渣は見られなかった。また、第一面に配置された電子部品接続用接続パッド３の表面下５．０μｍまで第一ソルダーレジスト層２−１が充填されていた。工程（Ｃ３）及び（Ｃ７）において、密着露光時のエア抜きを十分行うことにより、非酸素雰囲気下で露光を行ったため、第一ソルダーレジスト層２−１及び第二ソルダーレジスト層２−２表面が粗面化せず、結果として、第一面の第一ソルダーレジスト層２−１及び第一面の第二ソルダーレジスト層２−２の厚さは減少しなかった。
【手続補正４】
【補正対象書類名】明細書
【補正対象項目名】０２４８
【補正方法】変更
【補正の内容】
【０２４８】
上記に説明したように、実施例７〜２５によって製造された配線基板は、電子部品接続用接続パッド３の一部がソルダーレジスト層２（第一ソルダーレジスト層２−１）から露出され、さらに、二段構造のソルダーレジスト層２（第一ソルダーレジスト層２−１及び第二ソルダーレジスト層２−２）によって形成されたアンダーフィル堰き止め用ダムを有する。この配線基板を使用してフリップチップ接続を行った場合、電子部品と配線基板との間に充填するアンダーフィルが周囲に溢れて、電気的接続信頼性に悪影響を及ぼすことを防止することができる。また、電子部品接続用接続パッド３が高密度に配置された配線基板においても、隣接する電子部品接続用接続パッド３間に十分な厚さのソルダーレジスト層２（第一ソルダーレジスト層２−１）があるため、電子部品を実装する際に半田による電気的な短絡が起きるのを確実に防ぐことができる。絶縁層８と電子部品接続用接続パッド３の接着強度及び電子部品接続用接続パッド３と半田との接着強度が大きくなり、高い接続信頼性が得られる。さらに、配線基板の製造方法（２）の工程（Ｃ４）及び（Ｃ５）、配線基板の製造方法（３）、（４）、（５）の工程（Ｃ３）、配線基板の製造方法（５）の工程（Ｃ７）における露光が酸素雰囲気下での非接触露光方式によって行われている場合には、電子部品接続用接続パッド３間や周囲のソルダーレジスト層２（第一ソルダーレジスト層２−１、第二ソルダーレジスト層２−２）表面が十分粗面化しているため、アンダーフィルとの密着性が良く、高い接続信頼性が得られる。また、第二面の外部接続用接続パッド４の表面上にもソルダーレジスト層２（第一ソルダーレジスト層２−１）の残渣がないため、外部基板に実装する際、半田接続における電気的絶縁不良の発生がない高い接続信頼性が得られる。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
一の方向に隣接して配置された複数の発光装置を有する照明装置であって、
前記複数の発光装置の各々は、
前記一の方向に長尺状をなす基板と、
前記基板上に当該基板の長手方向に沿って直線状に配列された複数の半導体発光素子と、
光波長変換体を含み、前記複数の半導体発光素子を封止する封止部材と、を備え、
前記封止部材は、前記複数の半導体発光素子を一括封止するとともに、前記複数の半導体発光素子の配列方向に沿って直線状に前記基板の長手方向の両端縁まで形成され、
前記封止部材を平面視した場合、前記封止部材の端部の輪郭線は曲率を有する
照明装置。
【請求項２】
前記複数の発光装置の各々において、前記封止部材を平面視した場合の当該封止部材の端部の輪郭線は円弧である
請求項１に記載の照明装置。
【請求項３】
前記複数の発光装置の各々において、前記封止部材を側面視した場合、前記封止部材の端部の輪郭線は曲率を有する
請求項１又は２に記載の照明装置。
【請求項４】
前記複数の発光装置の各々において、前記封止部材を側面視した場合の当該封止部材の端部の輪郭線は円弧である
請求項３に記載の照明装置。
【請求項５】
前記封止部材の高さをＨｓとし、前記封止部材の長手方向に垂直な断面における前記封止部材の幅方向の中心から４５度方向の当該封止部材の長さをＨｓ４５とすると、
０．９≦Ｈｓ４５／Ｈｓ≦１．１、である
請求項１〜４のいずれか１項に記載の照明装置。
【請求項６】
前記封止部材の高さをＨｓとし、前記封止部材の幅をＷｓとすると、
０．４≦Ｈｓ／Ｗｓ≦０．６、である
請求項１〜５のいずれか１項に記載の照明装置。
【請求項７】
前記複数の発光装置は、各々の前記基板の前記長手方向の端縁同士を接触させて配置されている
請求項１〜６のいずれか１項に記載の照明装置。
【請求項８】
基板上に直線状に複数の半導体発光素子を配置する工程と、
光波長変換体を含む封止部材材料を前記基板上に直線状に塗布することによって前記複数の半導体発光素子を前記封止部材材料で一括封止する工程とを含み、
前記封止部材材料を塗布する工程では、前記基板を平面視した場合に前記封止部材材料の長手方向の端部の輪郭線が曲率を有するように前記封止部材材料を塗布する
発光装置の製造方法。
【請求項９】
前記封止部材材料を塗布する工程では、さらに、前記基板を側面視した場合に前記封止部材材料の長手方向の端部の輪郭線が曲率を有するように前記封止部材材料を塗布する
請求項８に記載の発光装置の製造方法。
【請求項１０】
前記基板には、直線部を有する第１配線及び第２配線が形成されており、
前記封止部材材料を塗布する工程では、前記第１配線の直線部と前記第２配線の直線部との間の領域に前記封止部材材料を塗布する
請求項８又は９に記載の発光装置の製造方法。
【請求項１１】
前記封止部材材料を塗布する工程の前に、前記複数の半導体発光素子の各々にワイヤを接続する工程を含み、
前記ワイヤを接続する工程では、前記複数の半導体発光素子の並び方向にワイヤを架張する
請求項８〜１０のいずれか１項に記載の発光装置の製造方法。
【請求項１２】
前記基板に、前記複数の半導体発光素子に電力を供給するための２つの電極を形成する工程を含み、
前記２つの電極のうちの一方の電極は、正極側の電極端子であり、
前記２つの電極のうちの他方の電極は、負極側の電極端子であり、
前記２つの電極を形成する工程では、前記一方の電極と前記他方の電極を、前記封止部材材料を塗布する方向を基準として、前記封止部材材料を塗布する方向に直交する方向の一方側に片寄せて形成する
請求項８〜１１のいずれか１項に記載の発光装置の製造方法。
【請求項１３】
前記封止部材材料を塗布する工程では、前記封止部材材料を、前記基板の幅の中心線と重ならない位置に塗布する
請求項８〜１２のいずれか１項に記載の発光装置の製造方法。
【請求項１４】
前記複数の半導体発光素子の各々の前記封止部材材料を塗布する方向の長さをＬｃとし、前記半導体発光素子の各々の前記封止部材材料を塗布する方向に直交する方向の長さをＷｃとすると、
前記複数の半導体発光素子を配置する工程では、Ｗｃ＜Ｌｃとなるように前記半導体発光素子を配置する
請求項８〜１３のいずれか１項に記載の発光装置の製造方法。
【手続補正２】
【補正対象書類名】明細書
【補正対象項目名】発明の名称
【補正方法】変更
【補正の内容】
【発明の名称】照明装置及び発光装置の製造方法
【手続補正書】
【提出日】平成28年2月24日(2016.2.24)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
第１導電型の半導体基板に設けられた第２導電型の第１不純物領域と、
前記第１不純物領域に設けられた第１導電型の第２不純物領域と、  
前記第２不純物領域に設けられ、ＧＮＤに接続された第２導電型の第３不純物領域と、  
少なくとも前記第２不純物領域に、前記第３不純物領域に離間して設けられた第２導電型の第４不純物領域と、
前記第４不純物領域に設けられたコンタクトと、
前記第３不純物領域と前記第４不純物領域との間の前記第２不純物領域の上方に設けられ、前記ＧＮＤに接続されたゲートと、を含み、
前記第１不純物領域は前記第４不純物領域に接する凸部を含み、当該凸部は前記コンタクトと平面視で重なり、
前記ゲートの第１の部分が前記第４不純物領域に平面視で重なる半導体装置。
【請求項２】
前記ゲートの第２の部分が前記第３不純物領域に平面視で重なる請求項１に記載の半導体装置。
【請求項３】
前記第２不純物領域が前記ＧＮＤに接続された請求項１又は２に記載の半導体装置。
【請求項４】
前記第１不純物領域がパッドに接続され、前記第４不純物領域が前記コンタクトを介して前記パッドに接続された請求項１〜３のいずれか一項に記載の半導体装置。
【請求項５】
前記第４不純物領域は第１の部分と第２の部分を含み、前記第２の部分は前記第１の部分より前記半導体基板の表面側に設けられ、
前記第４不純物領域の第２の部分の不純物濃度は、前記第４不純物領域の第１の部分の不純物濃度より高い請求項１〜４のいずれか一項に記載の半導体装置。
【請求項６】
前記第３不純物領域は第１の部分と第２の部分を含み、前記第２の部分は前記第１の部分より前記半導体基板の表面側に設けられ、
前記第３不純物領域の第２の部分の不純物濃度は、前記第３不純物領域の第１の部分の不純物濃度より高い請求項１〜５のいずれか一項に記載の半導体装置。
【請求項７】
前記第２不純物領域は第１の部分と第２の部分を含み、前記第２の部分は前記第１の部分より前記半導体基板の表面側に設けられ、
前記第２不純物領域の第２の部分の不純物濃度は、前記第２不純物領域の第１の部分の不純物濃度より高い請求項１〜６のいずれか一項に記載の半導体装置。
【請求項８】
前記第２不純物領域の第２の部分は、平面視で前記ゲート、前記第３不純物領域および第４不純物領域を囲む請求項７に記載の半導体装置。
【請求項９】
前記第１不純物領域は第１の部分と第２の部分を含み、前記第２の部分は前記第１の部分より前記半導体基板の表面側に設けられ、
前記第１不純物領域の第２の部分の不純物濃度は、前記第１不純物領域の第１の部分の不純物濃度より高い請求項１〜８のいずれか一項に記載の半導体装置。
【請求項１０】
前記第１不純物領域の第２の部分は、平面視で前記ゲート、前記第２不純物領域、第３不純物領域および第４不純物領域を囲む請求項９に記載の半導体装置。
【請求項１１】
前記半導体基板の表面側に、第１導電型の第５不純物領域が設けられ、
前記第５不純物領域の不純物濃度は、前記半導体基板の不純物濃度より高い請求項１〜１０のいずれか一項に記載の半導体装置。
【請求項１２】
前記第５不純物領域は、平面視で前記ゲート、第１不純物領域、前記第２不純物領域、第３不純物領域および第４不純物領域を囲む請求項１１に記載の半導体装置。
【請求項１３】
前記ゲートと前記第４不純物領域の第２の部分との間の前記第４不純物領域の第１の部分の基板の表面側に、第１分離領域が設けられている請求項５〜１２のいずれか一項に記載の半導体装置。
【請求項１４】
前記第４不純物領域の前記半導体基板の表面側に、第１シリサイド領域が設けられ、前記第１シリサイド領域は、第１分離領域から離間している請求項１３に記載の半導体装置。
【請求項１５】
前記ゲートと前記第３不純物領域の第２の部分との間の前記第３不純物領域の第１の部分の基板の表面側に、第２分離領域が設けられている請求項６〜１４のいずれか一項に記載の半導体装置。
【請求項１６】
前記第３不純物領域の前記半導体基板の表面側に、第２シリサイド領域が設けられ、前記第２シリサイド領域は、第２分離領域から離間している請求項１５に記載の半導体装置。
【請求項１７】
前記第３不純物領域の第２の部分と前記第２不純物領域の第２の部分との間の前記第２不純物領域の第１の部分の基板の表面側に、第３分離領域が設けられ、前記第２シリサイド領域は、前記第３分離領域から離間している請求項１６に記載の半導体装置。
【請求項１８】
前記第２不純物領域の前記半導体基板の表面側に、第３シリサイド領域が設けられ、
前記第３シリサイド領域は、前記第３分離領域に接している請求項１７に記載の半導体装置。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
コアと、
１次巻線と、
２次巻線と、
を備えたトランスであり、
上記トランスは、上記１次巻線上の１次電圧を、上記２次巻線上の最大値（Ｖｍａｘ）を有する２次電圧へ上げるように構成され、
上記コアは、
主軸を有している細長いリムと、
磁性材料から成る複数（ｎ個）のセグメントと、
上記主軸に沿って代わる代わる配置されているセグメント間の間隙と、
を備えており、
セグメント間の上記間隙、および、上記コアの各セグメントと２次巻線との間の間隙は、９ｋＶ／ｍｍよりも大きい絶縁耐力（Ｄ）、および１／２（Ｖｍａｘ）／Ｄ＞ｈ＞１／２（Ｖｍａｘ）／Ｄｎの厚さ（ｈ）を有する絶縁媒体によって充満されている、
ことを特徴とするトランス。
【請求項２】
上記２次巻線は、上記コアの一端から上記コアの他端まで巻回されている、
ことを特徴とする請求項１に記載のトランス。
【請求項３】
上記絶縁媒体は、２０ｋＶ／ｍｍよりも大きい絶縁耐力を有している、
ことを特徴とする請求項１または２に記載のトランス。
【請求項４】
ｎが４、５、６、７、８、９、および１０の何れか１つより大きい、
ことを特徴とする請求項１から３の何れか１項に記載のトランス。
【請求項５】
上記セグメントは、固体状であり、
上記主軸は、直線状であり、
上記１次巻線および上記２次巻線は、上記コアの周りに同心円状に巻回されている、
ことを特徴とする請求項１から４の何れか１項に記載のトランス。
【請求項６】
上記セグメントの少なくとも幾つかは積層状であり、
上記主軸は、直線状であり、
上記１次巻線および上記２次巻線は、上記コアの周りに同心円状に巻回されている、
ことを特徴とする請求項１から５の何れか１項に記載のトランス。
【請求項７】
各巻線が直線状に配置された隣接する複数の巻きを備えるように、上記１次巻線および上記２次巻線の各々が上記コアの周りに直線状に巻回されている、
ことを特徴とする請求項５または６に記載のトランス。
【請求項８】
上記２次巻線は、上記１次巻線よりも上記コアにより近接して同心円状に配置されている、
ことを特徴とする請求項５から７の何れか１項に記載のトランス。
【請求項９】
上記コアと、
上記１次巻線と、
上記２次巻線と、
を収容している、磁性材料から成る外部カバーを備えており、
帰還磁路を提供している、
ことを特徴とする請求項１から８の何れか１項に記載のトランス。
【請求項１０】
上記外部カバーは、１つの細長い中空の円筒形状である本体を備えている、
ことを特徴とする請求項９に記載のトランス。
【請求項１１】
上記外部カバーは、複数のカバーのセグメントを備えている、
ことを特徴とする請求項９に記載のトランス。
【請求項１２】
カバーのセグメントの各々は、中空の円筒形状である構造をしており、上記カバーのセグメントは、直線状に配置されている、
ことを特徴とする請求項１１に記載のトランス。
【請求項１３】
上記絶縁媒体は、液体および固体の少なくとも１つを備えている、
ことを特徴とする請求項１から１２の何れか１項に記載のトランス。
【請求項１４】
上記外部カバーの内部の空隙は、液体および固体の少なくとも１つを備えている上記絶縁媒体によって充満されている、
ことを特徴とする請求項９から１２の何れか１項に記載のトランス。
【請求項１５】
車両用の点火システムであって、
請求項１から１４の何れか１項に記載のトランスを備えており、
上記２次巻線の一端は、少なくとも１つの点火プラグに接続されており、
上記トランスは、上記１次巻線に接続されている発振回路によって共鳴的に駆動される、
ことを特徴とする点火システム。
【請求項１６】
上記発振回路の発振周波数は、１００ｋＨｚと３ＭＨｚとの間にある、
ことを特徴とする請求項１５に記載の点火システム。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
ユーザが操作する端末装置に通信回線を介して接続されるサーバ装置が実行する制御方法であって、
複数のモードの中から、前記ユーザが所持しているアイテムに基づいて一のモードを選択するステップと、
選択された前記一のモードを前記ユーザに対して表示させるステップと、
選択された前記一のモードに基づいて、複数の種類のアイテムの中から前記端末装置に提供するアイテムを決定するステップと、
決定されたアイテムを前記端末装置に提供するステップと、
を含む制御方法。
【請求項２】
請求項１に記載の制御方法において、
前記決定するステップにおいて、選択された前記一のモードに基づいて、前記ユーザが取得したアイテムを確認して前記ユーザがすでに取得しているアイテムの当選確率をゼロにすることで、複数の種類のアイテムの内、前記ユーザが取得していないアイテムが当選する確率を増加させて、前記複数の種類のアイテムの中から前記端末装置に提供するアイテムを決定する、制御方法。
【請求項３】
請求項１または２に記載の制御方法において、
前記選択するステップにおいて、前記複数のモードの中から、ユーザ情報に基づいて、少なくとも一部のモードが選択される確率を変動させて、前記一のモードを選択する、制御方法。
【請求項４】
請求項１乃至３のいずれか１項に記載の制御方法において、
前記複数のモードは、異なるアイテム情報に対して当選する確率が異なる、制御方法。
【請求項５】
ユーザが操作する端末装置に通信回線を介して接続されるサーバ装置であって、
複数のモードの中から、前記ユーザが所持しているアイテムに基づいて一のモードを選択する手段と、
選択された前記一のモードを前記ユーザに対して表示させる手段と、
選択された前記一のモードに基づいて、複数の種類のアイテムの中から前記端末装置に提供するアイテムを決定する手段と、
決定されたアイテムを前記端末装置に提供する手段と、
を備えるサーバ装置。
【請求項６】
コンピュータを、
複数のモードの中から、ユーザが所持しているアイテムに基づいて一のモードを選択する手段と、
選択された前記一のモードをユーザに対して表示させる手段と、
選択された前記一のモードに基づいて、複数の種類のアイテムの中から前記ユーザが操作する端末装置に提供するアイテムを決定する手段と、
決定されたアイテムを前記端末装置に提供する手段と、
して機能させるプログラム。
【手続補正２】
【補正対象書類名】明細書
【補正対象項目名】０００６
【補正方法】変更
【補正の内容】
【０００６】
本発明の一実施形態に係る制御方法は、
ユーザが操作する端末装置に通信回線を介して接続されるサーバ装置が実行する制御方法であって、
複数のモードの中から、前記ユーザが所持しているアイテムに基づいて一のモードを選択するステップと、
選択された前記一のモードを前記ユーザに対して表示させるステップと、
選択された前記一のモードに基づいて、複数の種類のアイテムの中から前記端末装置に提供するアイテムを決定するステップと、
決定されたアイテムを前記端末装置に提供するステップと、
を含む。
また、本発明の一実施形態に係る制御方法において、
前記決定するステップにおいて、選択された前記一のモードに基づいて、前記ユーザが取得したアイテムを確認して前記ユーザがすでに取得しているアイテムの当選確率をゼロにすることで、複数の種類のアイテムの内、前記ユーザが取得していないアイテムが当選する確率を増加させて、前記複数の種類のアイテムの中から前記端末装置に提供するアイテムを決定することが好ましい。
また、本発明の一実施形態に係る制御方法において、
前記選択するステップにおいて、前記複数のモードの中から、ユーザ情報に基づいて、少なくとも一部のモードが選択される確率を変動させて、前記一のモードを選択する、制御方法。
また、本発明の一実施形態に係る制御方法において、
前記複数のモードは、異なるアイテム情報に対して当選する確率が異なることが好ましい。
さらに、本発明の一実施形態に係るサーバ装置は、
ユーザが操作する端末装置に通信回線を介して接続されるサーバ装置であって、
複数のモードの中から、前記ユーザが所持しているアイテムに基づいて一のモードを選択する手段と、
選択された前記一のモードを前記ユーザに対して表示させる手段と、
選択された前記一のモードに基づいて、複数の種類のアイテムの中から前記端末装置に提供するアイテムを決定する手段と、
決定されたアイテムを前記端末装置に提供する手段と、
を備える。
さらに、本発明の一実施形態に係るプログラムは、
コンピュータを、
複数のモードの中から、ユーザが所持しているアイテムに基づいて一のモードを選択する手段と、
選択された前記一のモードをユーザに対して表示させる手段と、
選択された前記一のモードに基づいて、複数の種類のアイテムの中から前記ユーザが操作する端末装置に提供するアイテムを決定する手段と、
決定されたアイテムを前記端末装置に提供する手段と、
して機能させる。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
ネジ部材が挿入される第一の開口を有するネジ溝と、第二の開口を有しており、歯科上部構造物を複数のインプラントに固定する際に前記ネジ部材の頭部に対するサポートを提供するネジ部材シートとを備え、前記第一の開口と第二の開口とのつながりがある歯科上部構造物を製造する方法であって、
少なくとも一つの前記ネジ溝の中心軸と、前記第二開口の中心軸とが一致しないよう前記つながりの穴を切削によって開けることを特徴とする製造方法であって、
前記歯科上部構造物は、当該歯科上部構造物の本体と複数のスペーサ部品が得られるように、一つの一体構造のブランクから切削によって、前記複数のスペーサ部品と一体化して製造され、
前記本体および前記複数のスペーサ部品は一体化されることを特徴とする歯科上部構造物の製造方法。  
ここで一体化されたという文言は、本体ならびに複数のスペーサ部品を備える歯科上部構造物が、その適用時に前記複数のスペーサ部品がインプラントと協働し、前記上部構造物と前記複数のスペーサ部品間での干渉が生じないような、一体構造の材料から構成されることを意味する。
【請求項２】
請求項１に基づく方法において、前記穴開けは、前記つながりを形成するため、第一の直線穴ならびに第二の直線穴が前記上部構造物内で交差するよう、第一の点から前記第一の直線穴を開け、第二の点から前記第二の直線穴を開けることを特徴とする製造方法。
【請求項３】
請求項２に基づく方法において、前記第一の穴ならびに前記第二の穴の穴開けは、ツイストドリルによって行われ、これによりネジ部材のネジ部分を構成するのに適した直径が得られることを特徴とする製造方法。
【請求項４】
請求項２に基づく方法において、前記穴開けは、前記第一の穴ならびに前記第二の穴をガイドとして用いて第三の穴を開け、当該第三の穴は、前記歯科上部構造物を前記スペーサー部品または前記インプラントに取り付けるため、それを通じて前記ネジ部材が通過できる前記ネジ溝を形成するために十分な直径の切削面を有するドリルビットを用いることにより開けられることを特徴とする製造方法。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
所定のスイッチ信号に起因して抽選処理を実行し、抽選結果に対応した遊技制御動作を実行する遊技機であって、
前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、
前記乱数生成手段は、システムクロック又はその他の外部クロックに基づいて更新動作を繰り返して数値を更新する数値更新手段と、前記スイッチ信号がＯＮ遷移した場合に、数値更新手段の出力値を記憶可能なラッチ手段と、前記ラッチ手段の記憶値を取得可能な乱数取得手段と、前記乱数取得手段が前記ラッチ手段の記憶値を取得したことを記憶可能な状態記憶手段と、を有し、
前記スイッチ信号のＯＮ／ＯＦＦ状態を記憶可能な信号取得手段と、前記状態記憶手段、及び、前記信号取得手段は、ＣＰＵからアクセス可能に構成され構成され、
前記信号取得手段の記憶値を定時的に判定し、前記信号取得手段の記憶値が遷移したことに対応して、前記乱数取得手段の記憶値を抽選処理用の乱数値として取得して前記抽選処理を実行するよう構成されると共に、前記乱数取得手段の記憶値は、前記状態記憶手段を書込みアクセスすることでクリア可能に構成されている遊技機。
【手続補正２】
【補正対象書類名】明細書
【補正対象項目名】００１０
【補正方法】変更
【補正の内容】
【００１０】
上記の目的を達成するため、本発明は、所定のスイッチ信号に起因して抽選処理を実行し、抽選結果に対応した遊技制御動作を実行する遊技機であって、前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、前記乱数生成手段は、システムクロック又はその他の外部クロックに基づいて更新動作を繰り返して数値を更新する数値更新手段と、前記スイッチ信号がＯＮ遷移した場合に、数値更新手段の出力値を記憶可能なラッチ手段と、前記ラッチ手段の記憶値を取得可能な乱数取得手段と、前記乱数取得手段が前記ラッチ手段の記憶値を取得したことを記憶可能な状態記憶手段と、を有し、前記スイッチ信号のＯＮ／ＯＦＦ状態を記憶可能な信号取得手段と、前記状態記憶手段、及び、前記信号取得手段は、ＣＰＵからアクセス可能に構成され構成され、前記信号取得手段の記憶値を定時的に判定し、前記信号取得手段の記憶値が遷移したことに対応して、前記乱数取得手段の記憶値を抽選処理用の乱数値として取得して前記抽選処理を実行するよう構成されると共に、前記乱数取得手段の記憶値は、前記状態記憶手段を書込みアクセスすることでクリア可能に構成されている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
所定のスイッチ信号に起因して抽選処理を実行し、抽選結果に対応した遊技制御動作を実行する遊技機であって、
前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、
前記乱数生成手段は、システムクロック又はその他の外部クロックに基づいて更新動作を繰り返して数値を更新する数値更新手段と、前記数値更新手段の数値を取得可能な乱数取得手段と、を有し、
前記数値更新手段は、システムクロック又はその他の外部クロックに基づいて生成された更新クロックを受けて、０〜２ｎ−１の数値範囲で数値を更新する第１回路と、システムクロックに基づいて生成された更新クロックを受けて、０〜２ｎ−１の数値範囲内であって、予め設定された最大値ＭＡＸを超えない０〜ＭＡＸの数値範囲で数値を更新する第２回路と、を有して構成され、
前記スイッチ信号がＯＮ遷移した場合に、前記第１回路から複数バイト長の第１データを取得し、前記第２回路から前記複数バイト長より小さいバイト長の第２データを取得し、第１データ及び第２データに基づいて前記抽選処理を実行する抽選手段を、設け、
前記抽選処理は、第１回路から取得した第１データに基づいて実行される第１処理と、第２回路から取得した第２データに基づいて実行される第２処理とを含んで構成され、第１処理の結果と、第２処理の結果とに基づいて特別遊技状態の制御動作が実行されるよう構成されている遊技機。
【手続補正２】
【補正対象書類名】明細書
【補正対象項目名】００１０
【補正方法】変更
【補正の内容】
【００１０】
上記の目的を達成するため、本発明は、所定のスイッチ信号に起因して抽選処理を実行し、抽選結果に対応した遊技制御動作を実行する遊技機であって、前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、前記乱数生成手段は、システムクロック又はその他の外部クロックに基づいて更新動作を繰り返して数値を更新する数値更新手段と、前記数値更新手段の数値を取得可能な乱数取得手段と、を有し、前記数値更新手段は、システムクロック又はその他の外部クロックに基づいて生成された更新クロックを受けて、０〜２ｎ−１の数値範囲で数値を更新する第１回路と、システムクロックに基づいて生成された更新クロックを受けて、０〜２ｎ−１の数値範囲内であって、予め設定された最大値ＭＡＸを超えない０〜ＭＡＸの数値範囲で数値を更新する第２回路と、を有して構成され、前記スイッチ信号がＯＮ遷移した場合に、前記第１回路から複数バイト長の第１データを取得し、前記第２回路から前記複数バイト長より小さいバイト長の第２データを取得し、第１データ及び第２データに基づいて前記抽選処理を実行する抽選手段を、設け、前記抽選処理は、第１回路から取得した第１データに基づいて実行される第１処理と、第２回路から取得した第２データに基づいて実行される第２処理とを含んで構成され、第１処理の結果と、第２処理の結果とに基づいて特別遊技状態の制御動作が実行されるよう構成されている。
【手続補正３】
【補正対象書類名】明細書
【補正対象項目名】００１２
【補正方法】削除
【補正の内容】
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
所定のスイッチ信号に起因して抽選処理を実行し、抽選結果に対応した遊技制御動作を実行する遊技機であって、
前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、
前記乱数生成手段は、システムクロック又はその他の外部クロックに基づいて更新動作を繰り返して数値を更新する数値更新手段と、前記スイッチ信号がＯＮ遷移した場合に、数値更新手段の出力値を記憶可能なラッチ手段と、ラッチ手段の記憶値を取得可能な乱数取得手段と、を有し、
前記スイッチ信号のＯＮ／ＯＦＦ状態を記憶する信号取得手段、及び前記乱数取得手段は、ＣＰＵから任意にアクセス可能に構成されると共に、前記乱数取得手段の記憶値は、ＣＰＵに読み出されることでクリアされるよう構成され、
前記ラッチ手段の記憶値を前記乱数取得手段に取得させて記憶させる第１手段と、
第１手段が機能した後、前記乱数取得手段の記憶値がクリアされたか否かに拘わらず、前記ラッチ手段の記憶値を前記乱数取得手段に取得させて上書き記憶させる第２手段と、を有し、
前記信号取得手段の記憶値を定時的に判定し、前記信号取得手段の記憶値が遷移したことに対応して、その時の前記乱数取得手段の記憶値を、前記抽選処理用の乱数値として使用するよう構成されている遊技機。
【手続補正２】
【補正対象書類名】明細書
【補正対象項目名】００１０
【補正方法】変更
【補正の内容】
【００１０】
上記の目的を達成するため、本発明は、所定のスイッチ信号に起因して抽選処理を実行し、抽選結果に対応した遊技制御動作を実行する遊技機であって、前記抽選処理を含んだ遊技制御動作を実行する主制御手段は、制御プログラムや固定データを不揮発的に記憶するＲＯＭと、作業データを揮発的に記憶するＲＡＭと、抽選処理用の乱数値を生成する乱数生成手段と、システムクロックを受けて動作するＣＰＵと、が内蔵されたワンチップマイコンを有して構成され、前記乱数生成手段は、システムクロック又はその他の外部クロックに基づいて更新動作を繰り返して数値を更新する数値更新手段と、前記スイッチ信号がＯＮ遷移した場合に、数値更新手段の出力値を記憶可能なラッチ手段と、ラッチ手段の記憶値を取得可能な乱数取得手段と、を有し、前記スイッチ信号のＯＮ／ＯＦＦ状態を記憶する信号取得手段、及び前記乱数取得手段は、ＣＰＵから任意にアクセス可能に構成されると共に、前記乱数取得手段の記憶値は、ＣＰＵに読み出されることでクリアされるよう構成され、前記ラッチ手段の記憶値を前記乱数取得手段に取得させて記憶させる第１手段と、第１手段が機能した後、前記乱数取得手段の記憶値がクリアされたか否かに拘わらず、前記ラッチ手段の記憶値を前記乱数取得手段に取得させて上書き記憶させる第２手段と、を有し、前記信号取得手段の記憶値を定時的に判定し、前記信号取得手段の記憶値が遷移したことに対応して、その時の前記乱数取得手段の記憶値を、前記抽選処理用の乱数値として使用するよう構成されている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
登録番号ＤＳＭ  ２８６３２でドイツ微生物細胞培養コレクション（ＤＳＭＺ）に寄託しているラクトバチルス・プランタルム亜種プランタルム（Ｌａｃｔｏｂａｃｉｌｌｕｓ  ｐｌａｎｔａｒｕｍ  ｓｕｂｓｐ．  ｐｌａｎｔａｒｕｍ）ＰＳ１２８である単離乳酸菌。
【請求項２】
請求項１に記載の単離乳酸菌と、担体とを含む組成物。
【請求項３】
請求項１に記載の単離乳酸菌を含む、個体のストレス誘発失調または精神障害を予防または治療するための組成物。
【請求項４】
ストレス誘発失調または精神障害が不安、憂うつ及び過敏性腸症候群からなる群から選ばれる、請求項３に記載の組成物。
【請求項５】
血清コルチコステロン濃度が個体において統計学的に有意に低下する、請求項３または４に記載の組成物。
【請求項６】
神経伝達物質の濃度が個体において統計学的に有意に上昇する、請求項３または４に記載の組成物。
【請求項７】
神経伝達物質がドーパミンである請求項６に記載の組成物。
【請求項８】
請求項１に記載の単離乳酸菌を含む、個体の機能性胃腸障害を予防または治療するための組成物。
【請求項９】
請求項１に記載の単離乳酸菌を含む、個体の内臓過敏を予防または治療するための組成物。
【請求項１０】
内臓過敏が機能性胃腸障害に関連する、請求項９に記載の組成物。
【請求項１１】
機能性胃腸障害が機能性腹痛、過敏性腸症候群、便秘、機能性下痢と機能性消化不良からなる群から選ばれる、請求項８または１０に記載の組成物。
【請求項１２】
機能性胃腸障害が、機能性腹痛、過敏性腸症候群または便秘である、請求項１１に記載の組成物。
【請求項１３】
請求項１に記載の単離乳酸菌を含む、個体の機能性腹痛、過敏性腸症候群または便秘を予防または治療するための組成物。
【請求項１４】
痛覚のバイオマーカーレベルが個体において統計学的に有意に低下する、請求項８〜１３のいずれか１項に記載の組成物。
【請求項１５】
バイオマーカーがＰ物質である、請求項１４に記載の組成物。
【請求項１６】
個体の筋電図信号が統計学的に有意に低下する、請求項８〜１３のいずれか１項に記載の組成物。
【請求項１７】
経口投与用である、請求項３〜１６のいずれか１項に記載の組成物。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
識別情報の可変表示を行い、識別情報の可変表示の表示結果を導出する遊技機であって、
複数回の識別情報の可変表示に亘って、連続演出を実行する連続演出実行手段と、
第１条件が成立したときに、前記連続演出を中断する中断手段と、
第２条件が成立したときに、前記連続演出を再開する再開手段と
を備え、
前記連続演出実行手段は、前記連続演出が中断されているときに、該連続演出の演出態様の少なくとも一部を実行することが可能である
ことを特徴とする遊技機。
【請求項２】
未だ開始していない識別情報の可変表示に関する情報を保留データとして記憶する保留記憶手段と、
前記特定遊技状態に制御されるか否かを判定する事前判定手段と
を更に備えることを特徴とする請求項１に記載の遊技機。
【請求項３】
特定演出を実行可能な特定演出実行手段
を更に備えることを特徴とする請求項１又は２に記載の遊技機。
【手続補正２】
【補正対象書類名】明細書
【補正対象項目名】０００１
【補正方法】変更
【補正の内容】
【０００１】
本発明は、識別情報の可変表示を行い、識別情報の可変表示の表示結果を導出する遊技機に関する。
【手続補正３】
【補正対象書類名】明細書
【補正対象項目名】０００７
【補正方法】変更
【補正の内容】
【０００７】
上記目的を達成するため、本発明の遊技機は、（１）識別情報（例えば、特別図柄や飾り図柄等）の可変表示を行い、識別情報の可変表示の表示結果（例えば、大当り図柄となる特別図柄や大当り組み合わせの確定飾り図柄等）を導出する遊技機（例えば、パチンコ遊技機１等）であって、複数回の識別情報の可変表示に亘って、連続演出を実行する連続演出実行手段（例えば、ステップＳ１７２の可変表示中演出処理にて、図２８（Ｅ）〜図２９（Ｌ）に示すような先読みゾーン演出の動作制御を行う演出制御用ＣＰＵ１２０等）と、第１条件が成立したとき（例えば、ステップＳ７０８の先読みゾーン演出設定処理にて、先読みゾーン演出中断フラグがオン状態にセットされたとき等）に、前記連続演出を中断する中断手段と（例えば、ステップＳ１７２の可変表示中演出処理にて、図２８（Ｇ）〜（Ｈ）に示すような先読みゾーン中断演出の動作制御を行う演出制御用ＣＰＵ１２０等）、第２条件が成立したとき（例えば、ステップＳ１７２の可変表示中演出処理にて、先読みゾーン演出中断フラグがオフ状態にセットされたとき等）に、前記連続演出を再開する再開手段（例えば、ステップＳ１７２の可変表示中演出処理にて、図２９（Ｉ）〜（Ｌ）に示すような先読みゾーン演出の動作制御を行う演出制御用ＣＰＵ１２０等）とを備え、前記連続演出実行手段は、前記連続演出が中断されているときに、該連続演出の演出態様の少なくとも一部を実行することが可能である（例えば、ステップＳ１７２の可変表示中演出処理にて、図２８（Ｇ）〜（Ｈ）に示すような先読みゾーン演出用の特殊なテロップ、背景画像、ＢＧＭのうち、特殊なＢＧＭのみを用いて先読みゾーン中断演出の動作制御を行う演出制御用ＣＰＵ１２０等）ことを特徴とする。
【手続補正４】
【補正対象書類名】明細書
【補正対象項目名】０００９
【補正方法】変更
【補正の内容】
【０００９】
（２）上記（１）の遊技機において、未だ開始していない識別情報の可変表示に関する情報を保留データとして記憶する保留記憶手段（例えば、第１特図保留記憶部等）と、前記特定遊技状態（例えば、大当り遊技状態等）に制御されるか否かを判定する事前判定手段（例えば、ステップＳ２１２の入賞時乱数値判定処理を実行するＣＰＵ１０３等）とを更に備える、としてもよい。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
主通信路（３０）を介して正規の受信装置（２０）へと送信されるデータ信号を暗号化する物理レイヤ暗号化装置（４０）を有する送信装置（１０）であって，
前記送信装置（１０）は，
入力メッセージをデジタル情報からなる符号語に変換する符号器（１１）と，
変調信号に基づいて光源から出力された光信号を変調し，前記受信装置（２０）へと送信するデータ信号を生成する変調器（１２）とを有し，
前記物理レイヤ暗号化装置（４０）は，
前記符号器（１１）と前記変調器（１２）の間に設けられた符号変換器（４３）を含み，
前記符号変換器（４３）は，前記符号器（１１）によって生成された前記符号語をさらに変換して入力符号語を生成し，当該入力符号語を前記変調信号として前記変調器（１２）に入力する
送信装置。
【請求項２】
前記符号変換器（４３）は，所定の確率で前記符号語の各ビットをランダムに反転させ前記入力符号語を生成する
請求項１に記載の送信装置。
【請求項３】
前記物理レイヤ暗号化装置（４０）は，前記主通信路（３０）の通信路特性を推定するための通信路特性推定機（４１）をさらに含み，
前記符号変換器（４３）は，前記通信路特性推定機（４１）が推定した前記主通信路（３０）の通信路特性に応じた所定の確率で前記符号語の各ビットをランダムに反転させ，前記入力符号語を生成する
請求項２に記載の送信装置。
【請求項４】
前記物理レイヤ暗号化装置（４０）は，前記通信路特性推定機（４１）が推定した前記主通信路（３０）の通信路特性に基づいて，前記送信装置（１０）から送信されるデータ信号の電力レベルを調整する信号電力調整器（４２）と，をさらに含む
請求項３に記載の送信装置。
【請求項５】
送信装置（１０）から主通信路（３０）を介して正規の受信装置（２０）へと送信されるデータ信号を暗号化する物理レイヤ暗号化方法であって，
前記送信装置（１０）は，符号器（１１）と，変調器（１２）と，これらの間に配置された符号変換器（４３）とを有し，
物理レイヤ暗号化方法は，
前記符号器（１１）により，入力メッセージをデジタル情報からなる符号語に変換する工程と，
前記符号変換器（４３）により，前記符号語をさらに変換して入力符号語を生成し，当該入力符号語を変調信号として前記変調器（１２）に入力する工程と，
前記変調器（１２）により，前記変調信号に基づいて光源から出力された光信号を変調し，前記受信装置（２０）へと送信するデータ信号を生成する工程と，を含む
物理レイヤ暗号化方法。
【請求項６】
前記物理レイヤ暗号方法は，盗聴装置（５０）に漏れる情報量を最小限に抑え，かつ前記正規の受信装置（２０）への通信路容量を最大化した前記主通信路（３０）の容量である秘匿容量を適正化するための秘匿容量適正化工程を有し，
前記秘匿容適正化工程は，
前記主通信路（３０）の通信路特性を推定するための通信路特性推定工程と，
前記通信路特性推定工程において推定した前記主通信路（３０）の通信路特性に基づいて，前記送信装置（１０）から送信されるデータ信号の電力レベルを調整する信号電力調整工程と，
前記通信路特性推定工程において推定した前記主通信路（３０）の通信路特性に応じた所定の確率で前記符号語の各ビットをランダムに反転させ，前記入力符号語を生成する工程と，を含む
請求項５に記載の物理レイヤ暗号化方法。
【手続補正書】
【提出日】平成28年2月1日(2016.2.1)
【手続補正１】
【補正対象書類名】特許請求の範囲
【補正対象項目名】請求項２
【補正方法】変更
【補正の内容】
【請求項２】
コンピュータを、請求項１に記載の方法を実現させるために用いる前記端末（３）として機能させるための制御プログラム。
【手続補正２】
【補正対象書類名】特許請求の範囲
【補正対象項目名】請求項３
【補正方法】変更
【補正の内容】
【請求項３】
請求項１に記載の方法を実現させるために用いることを特徴とする電子機器（２）。